(57)【特許請求の範囲】
【請求項１】
デジタル信号の受信部と、上記受信部から出力されるデジタル信号のデコード部と、上記デコード部から出力されるデジタル映像信号の走査期間中に含まれるある特定値以下の値を検出する検出部と、上記走査期間中のデジタル映像信号との演算結果がある特定値以下の値を取らない演算を実施できる演算部とを持つデジタル映像信号処理装置。
【請求項２】
請求項１のデジタル映像信号処理装置において、ある特定値以下の値を切り捨てることによって、走査期間中のデジタル映像信号がある特定値以下の値を取らない演算を実施できる演算部を有することを特徴とするデジタル映像信号処理装置。
【請求項３】
請求項１のデジタル映像信号処理装置において、一定の定数を乗じる事により、走査期間中のデジタル映像信号がある特定値以下の値を取らない演算を実施できる演算部を有することを特徴とするデジタル映像信号処理装置。
【請求項４】
デジタル信号の受信部と、上記受信部から出力されるデジタル信号のデコード部と、上記デコード部から出力されるデジタル映像信号の走査期間中に含まれるある特定値以上の値を検出する検出部と、上記走査期間中のデジタル映像信号との演算結果がある特定値以上の値を取らない演算を実施できる演算部とを持つデジタル映像信号処理装置。
【請求項５】
請求項４のデジタル映像信号処理装置において、ある特定値以上の値を切り捨てることによって、走査期間中のデジタル映像信号がある特定値以上の値を取らない演算を実施できる演算部を有することを特徴とするデジタル映像信号処理装置。
【請求項６】
請求項４のデジタル映像信号処理装置において、一定の定数を乗じる事により、走査期間中のデジタル映像信号がある特定値以上の値を取らない演算を実施できる演算部を有することを特徴とするデジタル映像信号処理装置。
【請求項７】
デジタル信号の受信部と、上記受信部から出力されるデジタル信号のデコード部と、上記デコード部から出力されるデジタル映像信号の走査期間中に含まれるある特定値以下の値、及びある特定値以上の値を検出する検出部と、上記走査期間中のデジタル映像信号との演算結果がある特定値以下の値、及びある特定値以上の値を取らない演算を実施できる演算部とを持つデジタル映像信号処理装置。
【請求項８】
請求項７のデジタル映像信号処理装置において、ある特定値以下の値、及びある特定値以上の値を切り捨てることによって、走査期間中のデジタル映像信号がある特定値以下の値、及びある特定値以上の値を取らない演算を実施できる演算部を有することを特徴とするデジタル映像信号処理装置。
【請求項９】
請求項７のデジタル映像信号処理装置において、一定の定数を乗じる事により、走査期間中のデジタル映像信号がある特定値以下の値、及びある特定値以上の値を取らない演算を実施できる演算部を有することを特徴とするデジタル映像信号処理装置。
【発明の詳細な説明】
【０００１】
【発明の属する技術分野】
本発明は、デジタル放送受信機及びデジタル映像信号を扱う機器において、走査期間中のデジタル映像信号がある特定の範囲外の値を取らない演算を実施できるデジタル映像信号処理装置に関するものである。
【０００２】
【従来の技術】
近年急速に、デジタル化された映像信号や音声信号を用いたデジタル放送やDVDなどの記録媒体が広まっており、衛星放送やケーブルテレビの為のチューナーボックスやDVDデコーダーの様なAV機器は、デジタル映像信号やデジタル音声信号を処理する為の機能を有するようになってきている。
【０００３】
一般にデジタル映像信号は、８ビットもしくは10ビットのデジタル信号で現わされる。本願では8ビットで現わされるデジタル映像信号を例に取り、８ビット場合のデジタル映像信号とアナログ映像信号の関係を図１２に示す。８ビットのデジタル映像信号では、10進数で０〜２５５までの値を持ち、この内アナログ映像信号の走査期間における０％の黒から１００％の白までの映像信号は１６〜２３５までの値で現わされる場合が多い。
【０００４】
【発明が解決しようとする課題】
しかしながら、デジタル映像信号における０〜１５までの信号、又は２３６〜２５５までの信号は、高精細映像信号(HD信号)と標準精細信号(SD信号)との色マトリックス変換などのデジタル信号処理や放送局側の信号処理によっては、走査期間中にも使われる場合がある。
【０００５】
それら走査期間中の０〜１５及び２３６〜２５５までのデジタル映像信号をアナログ映像信号へ変換した場合、変換後のアナログ映像信号には０％の黒よりも低い(ペデスタルよりも低い)映像信号や１００％の白よりも高い映像信号が含まれる事になる。
【０００６】
チューナーボックスやDVDデコーダーなどに接続されたディスプレイ装置では、図１３に示す様に走査期間中に０％の黒よりも低い(ペデスタルよりも低い)信号が含まれた場合、同期分離回路において同期閾値レベルよりも低い値である事により同期とみなされ、同期分離回路が正常に動作しなくなる場合がある。また、１００％の白よりも高い映像信号が含まれた場合、白つぶれ等の不具合を発生する場合がある。
【０００７】
【課題を解決するための手段】
この課題を解決するために本発明のデジタル映像信号処理装置は、デジタル映像信号の走査期間中に含まれるある特定の範囲外の値を検出し、この信号をある特定の範囲内のデジタル映像信号に補正する。
【０００８】
【発明の実施の形態】
本発明のデジタル映像信号処理装置は、図１に示すデジタル信号の受信部１と、デジタル信号のデコード部２と、デコード部２から出力されたデジタル映像信号の走査期間中に含まれるある特定の範囲外の値を検出する検出部３と、検出部３からの検出信号ｄｓをもとにデジタル映像信号との演算結果がある特定範囲外の値を取らない演算を実施できる演算部４とからなる。
【０００９】
（実施の形態１）
以下、本発明の請求項２の一実施形態について説明する。図２にデジタル映像信号に含まれるある特定値以下の値を検出する検出部３の一実施形態を示す。本検出部では、デジタル映像信号8ビット(最下位ビットをビット０、最上位ビットをビット７とする)の入力に対し、ビット４からビット７までの上位４ビットが０となる図４に示される走査期間中の０〜１５までのデジタル映像信号を検出し、０〜１５までのデジタル映像信号がある場合、検出信号ｄｓを１、０〜１５までのデジタル映像信号がない場合、検出信号ｄｓを０とする。
【００１０】
次に、図３にデジタル映像信号に含まれるある特定値以下の値を切り捨てる演算部４の一実施形態を示す。本演算部では、図２で示された検出部で走査期間中に０〜１５までのデジタル映像信号が検出された場合、検出部３から出力された検出信号ｄｓをもとに、ビット０からビット３までの下位４ビットを全て０にしビット４を１にする事により、０〜１５までの信号を切り捨て、デジタル映像信号を１６とする。本実施例による演算部での入力と出力のデジタル映像信号を図４に示す。
【００１１】
（実施の形態２）
以下、本発明の請求項３の一実施形態について説明する。検出部は図２で示される走査期間中の０〜１５までのデジタル映像信号を検出するものとする。検出部において走査期間中に０〜１５までのデジタル映像信号が検出された場合、演算部ではデジタル映像信号に対し次式で表される演算を行なう。
【００１２】
【数１】
0004483074.tif 000002
【００１３】
この演算により、０〜２５５の振幅を持つデジタル映像信号は１６〜２５５までの振幅のデジタル映像信号へ変換される。本実施例による演算部での入力デジタル映像信号と出力デジタル映像信号を図５に示す。
【００１４】
（実施の形態３）
以下、本発明の請求項５の一実施形態について説明する。図６にデジタル映像信号に含まれるある特定値以上の値を検出する検出部３の一実施形態を示す。本検出部では、デジタル映像信号8ビットの入力に対し、ビット４からビット７までの上位４ビットが１で、かつビット０からビット３までの下位４ビットの内少なくとも一つが１となる図８に示される走査期間中の２４１〜２５５までのデジタル映像信号を検出し、２４１〜２５５までのデジタル映像信号がある場合、検出信号ｄｓを１、２４１〜２５５までのデジタル映像信号がない場合、検出信号ｄｓを０とする。
【００１５】
次に、図７にデジタル映像信号に含まれるある特定値以上の値を切り捨てる演算部４の一実施形態を示す。本演算部では、図６で示された検出部で走査期間中に２４１〜２５５までのデジタル映像信号が検出された場合、検出部６から出力された検出信号ｄｓをもとに、ビット０からビット３までの下位４ビットを０にする事により、２４１〜２５５までの信号を切り捨て、デジタル映像信号を２４０とする。本実施例による演算部での入力と出力のデジタル映像信号を図８に示す。
【００１６】
（実施の形態４）
以下、本発明の請求項６の一実施形態について説明する。検出部は図６で示される２４１〜２５５までのデジタル映像信号を検出するものとする。検出部において走査期間中に２４１〜２５５までのデジタル映像信号が検出された場合、演算部ではデジタル映像信号に対し次式で表される演算を行なう。
【００１７】
【数２】
0004483074.tif 000003
【００１８】
この演算により、０〜２５５の振幅を持つデジタル映像信号は０〜２４０までの振幅のデジタル映像信号へ変換される。本実施例による演算部での入力と出力のデジタル映像信号を図９に示す。
【００１９】
（実施の形態５）
以下、本発明の請求項８の一実施形態について説明する。図２及び図３に示される走査期間中の０〜１５までのデジタル映像信号を検出する検出部と走査期間中の０〜１５までのデジタル映像信号を切り捨てる演算部と、図６及び図７に示される走査期間中の２４１〜２５５までのデジタル映像信号を検出する検出部と走査期間中の２４１〜２５５までのデジタル映像信号を切り捨てる演算部とを併せ持つことにより、走査期間中の０〜１５及び２４１〜２５５までのデジタル映像信号を切り捨て、１６〜２４０までのデジタル映像信号とする事ができる。本実施例による演算部での入力と出力のデジタル映像信号を図１０に示す。
【００２０】
（実施の形態６）
以下、本発明の請求項９の一実施形態について説明する。検出部は図２及び図６で示される走査期間中の０〜１５及び２４１〜２５５までのデジタル映像信号を検出するものとする。検出部において走査期間中に０〜１５及び２４１〜２５５までのデジタル映像信号が検出された場合、演算部ではデジタル映像信号に対し次式で表される演算を行なう。
【００２１】
【数３】
0004483074.tif 000004
【００２２】
この演算により、０〜２５５の振幅を持つデジタル映像信号は１６〜２４０までの振幅のデジタル映像信号へ変換される。本実施例による演算部での入力と出力のデジタル映像信号を図１１に示す。
【００２３】
【発明の効果】
以上のように、本発明により、デジタル映像信号の走査期間中に含まれるある特定範囲外の値を検出し、この信号をある特定の範囲内のデジタル映像信号に補正する事ができる。
【図面の簡単な説明】
【図１】本発明のデジタル映像信号処理回路を示す図
【図２】請求項２における検出部３の一実施形態を示す図
【図３】請求項２における演算部４の一実施形態を示す図
【図４】請求項２における演算部４での入出力デジタル映像信号の例を示す図
【図５】請求項３における演算部４での入出力デジタル映像信号の例を示す図
【図６】請求項５における検出部３の一実施形態を示す図
【図７】請求項５における演算部４の一実施形態を示す図
【図８】請求項５における演算部４での入出力デジタル映像信号の例を示す図
【図９】請求項６における演算部４での入出力デジタル映像信号の例を示す図
【図１０】請求項８における演算部４での入出力デジタル映像信号の例を示す図
【図１１】請求項９における演算部４での入出力デジタル映像信号の例を示す図
【図１２】  8ビットの場合のデジタル映像信号とアナログ映像信号の例を示す図
【図１３】走査期間中におけるペデスタルよりも低い映像信号の例を示す図
【符号の説明】
１  受信部
２  デコード部
３  検出部
４  演算部
【図１】
0004483074.tif 000005
【図２】
0004483074.tif 000006
【図３】
0004483074.tif 000007
【図４】
0004483074.tif 000008
【図５】
0004483074.tif 000009
【図６】
0004483074.tif 000010
【図７】
0004483074.tif 000011
【図８】
0004483074.tif 000012
【図９】
0004483074.tif 000013
【図１０】
0004483074.tif 000014
【図１１】
0004483074.tif 000015
【図１２】
0004483074.tif 000016
【図１３】
0004483074.tif 000017